(57)【要約】  本発明はヘッドレスト折り畳み装置に関し、特に、ヘッドレストを支持する支持台に傾斜面が形成されてヘッドレストが直立位置にあるとき、第１部材と傾斜面が接触し、直立状態で隙間の発生を防止すると共に構成要素が単純であるため装置がコンパクト化し、シート組立が容易となり製造コストが節減するヘッドレスト折り畳み装置に関する。【選択図】図２
2016517715.tif 000002
【特許請求の範囲】
【請求項１】
シート及びヘッドレストのうちのいずれか１つに連結される第１部材と、
前記シート又は前記ヘッドレストのうちの残りの１つに連結されて前記第１部材に回動可能に設けられる第２部材と、
前記第１部材と前記第２部材との間に連結されて前記第１部材及び前記第２部材に弾性力を付勢して前記ヘッドレストを第２位置に移動させるメインスプリングと、
前記第２部材に設けられ、前記第１部材を基準として前記第２位置の反対方向に前記第１部材に接触するように配置されて前記ヘッドレストを第１位置に固定させるロック部材と、を含み、
前記第２位置は前記ヘッドレストが折り畳まれた位置であって、前記第１位置は前記ヘッドレストが直立した位置であり、
前記ロック部材が、前記第１部材に接触する接触面に形成された傾斜面を有し、前記ヘッドレストが前記第１位置にあるとき、前記第１部材が前記ロック部材の前記傾斜面の少なくとも一部分と接触し、
前記ロック部材を原位置に復帰させる復帰スプリングと、
前記ロック部材を駆動させる駆動部材と、を更に備え、
前記ロック部材が前記第２部材に回動可能に設けられ、前記ロック部材の回動軸が前後方向に配置され、前記第２部材の回動軸が左右方向に配置されることを特徴とするヘッドレスト折り畳み装置。
【請求項２】
前記駆動部材が、前記ロック部材に連結されてヘッドレストのロックを解除するワイヤであることを特徴とする請求項１に記載のヘッドレスト折り畳み装置。
【請求項３】
前記駆動部材が、前記ロック部材を押してヘッドレストのロックを解除するボタン部であることを特徴とする請求項１に記載のヘッドレスト折り畳み装置。
【請求項４】
シート及びヘッドレストのうちのいずれか１つに連結される第１部材と、
前記シート及び前記ヘッドレストのうちの残りの１つに連結されて前記第１部材に回動可能に設けられる第２部材と、
前記第１部材と前記第２部材との間に連結されて前記第１部材及び前記第２部材に弾性力を付勢して前記ヘッドレストを第２位置に移動させるメインスプリングと、
前記第２部材に設けられ、前記第１部材を基準として前記第２位置の反対方向に前記第１部材に接触するように配置されて前記ヘッドレストを第１位置に固定させるロック部材と、を含み、
前記第２位置は前記ヘッドレストが折り畳まれた位置であって、前記第１位置は前記ヘッドレストが直立した位置であり、
前記ロック部材が、前記第１部材に接触する接触面に形成された傾斜面を有し、前記ヘッドレストが前記第１位置にあるとき、前記第１部材は前記ロック部材の前記傾斜面の少なくとも一部分と接触し、前記ロック部材を原位置に復帰させる復帰スプリングと、
前記ロック部材を駆動させる駆動部材と、を更に備え、
前記ロック部材が、前記第２部材に上下にスライド可能に設けられることを特徴とするヘッドレスト折り畳み装置。
【請求項５】
前記ロック部材には、前記復帰スプリングが配置される支持板受容孔が上下方向に形成され、
前記第２部材には、前記支持板受容孔内部に配置されて前記復帰スプリングの一端を支持する支持板が形成されることを特徴とする請求項４に記載のヘッドレスト折り畳み装置。
【請求項６】
前記第２部材には、前記ロック部材をガイドするガイド溝が上下方向に形成されるブラケットが設けられ、
前記ブラケットに前記支持板が形成されることを特徴とする請求項５に記載のヘッドレスト折り畳み装置。
【請求項７】
前記第２部材には、前記ロック部材をガイドするガイド溝が上下方向に形成されることを特徴とする請求項５に記載のヘッドレスト折り畳み装置。
【発明の詳細な説明】
【技術分野】
【０００１】
本発明は、ヘッドレスト折り畳み装置に関し、特に、ヘッドレストを支持する支持台に傾斜面を形成し、ヘッドレストが直立位置にある際、第１部材と傾斜面の少なくとも一部分で接触し、直立状態での隙間発生を防止すると共に、構成要素が単純であるため装置がコンパクト化し、シート組立が容易で製造コストを節減することができるヘッドレスト折り畳み装置（Ｈｅａｄｒｅｓｔ  Ｆｏｌｄｉｎｇ  Ａｐｐａｒａｔｕｓ）に関する。
【背景技術】
【０００２】
従来のヘッドレスト折り畳み装置は、特許文献１に開示されている。
【０００３】
従来のヘッドレストの折り畳み装置は、背もたれ内部に取付けられ、両側板１１の上側部の同一位置にそれぞれヒンジ孔１３を同心円として上部が開放されるように形成した案内溝１２を備えるハウジング１０と、各後端は水平部２１の両方に固定し、各前端は前記各ヒンジ孔にヒンジ軸２４でそれぞれ軸結合するヒンジ板２３により前記ハウジングに回動するように設けられるステーロッド２０と、両方には前記ステーロッドの両垂直部２２の先端部を挿入するガイド孔３が互いに平行に貫通形成された支持板材３１を内部に取付ける台座部材と、ホールディングスプリング４０ａの反発力により前記ステーロッドと反対方向に回転するように一側板１１の１つの内面にホールディング軸４０ｂで軸を設け、上部では前記台座部材を押し上げると上向き回動して直立されるステーロッドの水平部をホールディングするホールディング溝４１が形成され、下端にはホールディング突起４２が形成されているホールディング部材４０と、制動スプリング５０ａの反発力により前記ホールディング部材と反対方向に回転するように一側板１１の１つの内面下部に制動軸５０ｂで軸を設け、上端では上記ホールディング部材が直立されたステーロッドの水平部をホールディングしている際にはホールディング突起を係止してホールディング部材が逆回転しないように制動してステーロッドが直立した状態にさせる制動突起５１が形成された制動部材５０と、一端は前記制動部材の後端に結束し、他端は背もたれの外側に設けられたレバー（図示せず）に結束して設けてレバーを操作すると制動部材を引っ張って制動スプリングの反発力と反対方向に回転させてホールディング部材の制動を解除させるワイヤ６０と、前記ヒンジ軸に結合して一端はステーロッドの水平部にかけて他端はハウジングの他側板にかけて制動部材によるホールディング部材の制動が解除されると反発力が作用して直立している前記ステーロッドを前方に下向き回動させて曲げられるメインスプリング７０、及び先端は前記支持板材の下面中間に付設するヒンジ片４に支軸８１で軸結合し、後端は前記ヒンジ軸より後方上側に位置するようにハウジングの中間後側に設けたブラケット１０ａの上端に支軸８１’で軸結合して設けるリンク８０を含んで構成される。
【０００４】
未説明符号１４’は制動軸５０ｂの軸孔であり、１７は台座片であり、１６はワイヤ６０の流通口であり、１５は底面板であり、１１ａは支軸８１’の軸孔であり、４３は台座突起である。
【０００５】
このような従来のヘッドレスト折り畳み装置は構造が複雑であり、制動部材５０及びホールディング部材４０は頻繁な使用により摩耗が激しく、これにより隙間が生じる問題点がある。
【０００６】
また、このような問題点を解決するためにヘッドレスト折り畳み装置の係止部材５０及びホールディング部材４０の前方にゴムなどを設けてあるが、ゴムも頻繁な摩擦により摩耗されて隙間が生じる問題点がある。
【先行技術文献】
【特許文献】
【０００７】
【特許文献１】韓国公開特許第２００８−００９４３８５号公報
【発明の概要】
【発明が解決しようとする課題】
【０００８】
本発明は、上記の問題を解決するために案出されたものであって、直立状態でヘッドレストとロック部材との間に隙間が発生するのを防止すると共に、構成要素が単純であるため、装置がコンパクト化し、シートの組立が容易であり製造コストを節減できるヘッドレスト折り畳み装置を提供することを目的とする。
【課題を解決するための手段】
【０００９】
上記目的を達成するために本発明のヘッドレスト折り畳み装置は、シート及びヘッドレストのうちのいずれか１つに連結される第１部材と、前記シート又は前記ヘッドレストのうちの残りの１つに連結され、前記第１部材に回動可能に設けられる第２部材と、前記第１部材と前記第２部材との間に連結されて前記第１部材及び前記第２部材に弾性力を付勢して前記ヘッドレストを第２位置に移動させるメインスプリングと、前記第２部材に設けられ、前記第１部材を基準として前記第２位置の反対方向に前記第１部材に接触するように配置されて前記ヘッドレストを第１位置に固定するロック部材と、を含み、前記第２位置と前記第１位置のうちの１つは前記ヘッドレストが折り畳まれた位置であり、残りの１つは前記ヘッドレストが直立した位置であり、前記ロック部材は前記第１部材に接触する接触面に形成された傾斜面を有し、前記ヘッドレストが前記第１位置にあるとき、前記ロック部材と前記第１部材は前記傾斜面の少なくとも一部分に接触することを特徴とする。
【００１０】
また、前記ロック部材を原位置に復帰させる復帰スプリングと、前記ロック部材を駆動させる駆動部材とを更に備えることができる。
【００１１】
前記駆動部材は前記ロック部材に連結されてロックを解除するワイヤであるか、前記駆動部材は前記ロック部材を押してロックを解除するボタン部であってもよい。
【００１２】
前記ロック部材は前記第２部材に回動可能に設けられ、前記ロック部材の回動軸は前後方向に配置され、前記第２部材の回動軸は左右方向に配置されるか、前記ロック部材と前記第２部材の回動軸は互いに平行に配置されてもよい。
【００１３】
前記第２部材は前記シートに連結され、前記第１部材は前記ヘッドレストに連結され、前記ロック部材の回動軸は前記第１部材を基準として前記第２位置側に配置されてもよい。
【００１４】
前記ロック部材は前記第２部材に上下にスライド可能に設けられ、前記ロック部材には前記復帰スプリングが配置される支持板受容孔が上下方向に形成され、前記第２部材には前記支持板受容孔内部に配置されて前記復帰スプリングの一端を支持する支持板が形成され、前記第２部材には前記ロック部材をガイドするガイド溝が上下方向に形成されるブラケットと連結され、前記ブラケットに前記支持板が形成されてもよい。
【００１５】
前記第２部材には、前記ロック部材をガイドするガイド溝が上下方向に形成されてもよい。
【００１６】
以上説明したような本発明のヘッドレスト折り畳み装置によれば、次のような効果がある。
【００１７】
ヘッドレストを支持する支持台に傾斜面が形成されてヘッドレストが直立位置にあるとき、第１部材と傾斜面が接触して、折り畳み時にヘッドレストと支持台との干渉を防止し、直立状態で隙間の発生を防止すると共に、構成要素が単純であるため装置がコンパクト化し、シートの組立が容易で製造コストを節減することができる。
【００１８】
また、前記ロック部材を原位置に復帰させる復帰スプリングと、前記ロック部材を駆動させる駆動部材とを更に備えて、使用者がヘッドレストの折り畳みと直立を容易に操作することができる。
【００１９】
前記駆動部材は、前記ロック部材に連結されてロックを解除するワイヤであるか、前記駆動部材は、前記ロック部材を押してロックを解除するボタン部であるので、シートとの連結構造が更に単純化される。
【００２０】
前記ロック部材は前記第２部材に回動可能に設けられ、前記ロック部材の回動軸は前後方向に配置され、前記第２部材の回動軸は左右方向に配置されて、装置の前後幅を縮小することができるので、装置をコンパクト化することができ、支持台の厚みを厚く形成することができるので、支持台の耐久性を向上させることができる。
【００２１】
前記ロック部材と前記第２部材の回動軸とは互いに平行に配置されるため、支持台の形状を単純化することができる。
【００２２】
前記第２部材は前記シートに連結され、前記第１部材は前記ヘッドレストに連結され、前記ロック部材の回動軸は前記第１部材を基準として前記第２位置側に配置されて、駆動部材の駆動力を円滑に伝達することができる。
【００２３】
前記ロック部材は前記第２部材に上下にスライド可能に設けられ、前記ロック部材には前記復帰スプリングが配置される支持板受容孔が上下方向に形成され、前記第２部材には前記支持板受容孔内部に配置されて前記復帰スプリングの一端を支持する支持板が形成されるので、構造が単純化する利点がある。
【００２４】
前記第２部材には前記ロック部材をガイドするガイド溝が上下方向に形成されるブラケットが設けられ、前記ブラケットに前記支持板が形成されて、前記第２部材の設置が容易となり、第２部材が安定的に保護及びスライドされる。
【図面の簡単な説明】
【００２５】
【図１】図１は、従来のヘッドレスト折り畳み装置の分解斜視図である。
【図２】図２は、本発明の第１実施形態に係るヘッドレスト折り畳み装置の分解斜視図である。
【図３】図３は、図２のロック部材の斜視図である。
【図４】図４は、図２のヘッドレスト折り畳み装置の組立斜視図である。
【図５】図５は、図２のヘッドレスト折り畳み装置の側面図である。
【図６】図６は、図２のヘッドレスト折り畳み装置の後方斜視図である。
【図７】図７は、図２のヘッドレスト折り畳み装置で第２部材を除去した状態の背面図である。
【図８】図８は、図２のヘッドレスト折り畳み装置で第２部材を除去した状態の背面斜視図である。
【図９】図９は、図２のヘッドレスト折り畳み装置で第２部材を除去した状態の正面図である。
【図１０】図１０は、図４のＡ−Ａ断面図（ヘッドレストが直立位置にあるとき）である。
【図１１】図１１は、ヘッドレストが折り畳み位置にあるときの第１実施形態に係るヘッドレスト折り畳み装置の断面図である。
【図１２】図１２は、図２の本発明の第１実施形態に係るブラケット板が形成されたヘッドレスト折り畳み装置の背面斜視図である。
【図１３】図１３は、本発明の第２実施形態に係るヘッドレスト折り畳み装置の分解斜視図である。
【図１４】図１４は、図１３のヘッドレスト折り畳み装置の組立斜視図である。
【図１５】図１５は、図１４のＢ−Ｂ断面図（ヘッドレストが直立位置にあるとき）である。
【図１６】図１６は、図１４のヘッドレスト折り畳み装置の底面図である。
【図１７】図１７は、図１４のヘッドレスト折り畳み装置で第１板部を除去した状態の正面図である。
【図１８】図１８は、図１４のヘッドレスト折り畳み装置で第１板部を分離した状態の背面斜視図である。
【図１９】図１９は、ヘッドレストが折り畳み位置にあるときの第２実施形態に係るヘッドレスト折り畳み装置の断面図である。
【図２０】図２０は、本発明の第３実施形態に係るヘッドレスト折り畳み装置の分解斜視図である。
【図２１】図２１は、第３実施形態に係るヘッドレスト折り畳み装置のボタン部の分解斜視図である。
【図２２】図２２は、図２０のヘッドレスト折り畳み装置の組立斜視図である。
【図２３】図２３は、図２０のヘッドレスト折り畳み装置で第１板部を除去した状態の正面図である。
【図２４】図２４は、図２０のヘッドレスト折り畳み装置でボタン部を介してロック部材を押すことによって第２板部を除去した状態の背面図である。
【図２５】図２５は、ヘッドレストが折り畳み位置にあるときの第３実施形態に係るヘッドレスト折り畳み装置の平面図である。
【図２６】図２６は、本発明の第４実施形態に係るヘッドレスト折り畳み装置の分解斜視図である。
【図２７】図２７は、図２６のヘッドレスト折り畳み装置の組立斜視図である。
【図２８】図２８は、図２７のヘッドレスト折り畳み装置の正面図である。
【図２９】図２９は、図２７のヘッドレスト折り畳み装置の背面図である。
【図３０】図３０は、図２７のＣ−Ｃ断面図（ヘッドレストが直立位置にあるとき）である。
【図３１】図３１は、ヘッドレストを折り畳むためにワイヤを引っ張って第４実施形態に係るヘッドレスト折り畳み装置のロック部材が回転された状態を示す断面図である。
【図３２】図３２は、ヘッドレストが折り畳み位置にあるときの第４実施形態に係るヘッドレスト折り畳み装置の断面図である。
【図３３】図３３は、本発明の第５実施形態に係るヘッドレスト折り畳み装置の分解斜視図である。
【図３４】図３４は、図３３のヘッドレスト折り畳み装置の組立斜視図である。
【図３５】図３５は、図３４のヘッドレスト折り畳み装置のｄ−ｄ断面図（ヘッドレストが直立位置にあるとき）である。
【図３６】図３６は、図３４のヘッドレスト折り畳み装置のｅ−ｅ断面図（ヘッドレストが直立位置にあるとき）である。
【図３７】図３７は、ヘッドレストが折り畳み位置にあるときの第５実施形態に係るヘッドレスト折り畳み装置の図３４のｄ−ｄ断面図である。
【図３８】図３８は、本発明の第６実施形態に係るヘッドレスト折り畳み装置の分解斜視図である。
【図３９】図３９は、図３８のヘッドレスト折り畳み装置の組立斜視図である。
【図４０】図４０は、図３８のヘッドレスト折り畳み装置の背面図である。
【図４１】図４１は、本発明の第７実施形態に係るヘッドレスト折り畳み装置の分解斜視図である。
【図４２】図４２は、図４１のヘッドレスト折り畳み装置の組立斜視図である。
【図４３】図４３は、図４２のｆ−ｆ断面図（ヘッドレストが直立位置にあるとき）である。
【図４４】図４４は、ヘッドレストを折り畳むためにワイヤを引っ張って第５実施形態に係るヘッドレスト折り畳み装置のロック部材が上昇した状態を示す断面図である。
【図４５】図４５は、ヘッドレストが折り畳み位置にあるときの第７実施形態に係るヘッドレスト折り畳み装置の断面図である。
【発明を実施するための形態】
【００２６】
以下に、本発明の好適な一実施形態を、添付図面を参照して詳細に説明する。
【００２７】
なお、以下に説明する本発明の構造のうちの従来技術と同一構造については、上述の従来技術を参照するものとし、別途の詳細な説明は省略する。
【００２８】
（第１実施形態）
図２ないし図１２に示すように、第１実施形態のヘッドレスト折り畳み装置は、ヘッドレストに連結される第１部材１００と、シートに連結されて前記第１部材１００に回動可能に設けられる第２部材２００と、前記第１部材１００と前記第２部材２００との間に連結されて前記第１部材１００及び前記第２部材２００に弾性力を付勢して前記ヘッドレストを第２位置（以下、前方：折り畳まれた位置）に移動させるメインスプリング３００と、前記第２部材２００に設けられ、前記第１部材１００を基準として前記第２位置の反対方向に前記第１部材１００に接触するように配置されて前記ヘッドレストを第１位置（以下、直立された位置）に固定させるロック部材４００と、を含み、前記ロック部材４００で前記第１部材１００と接触する接触面には傾斜面４１１が形成されて、前記ヘッドレストが直立位置にあるとき、前記第１部材１００は前記ロック部材４００の前記傾斜面４１１の少なくとも一部分に接触することを特徴とする。
【００２９】
第１部材１００はヘッドレストに連結して回転する。
【００３０】
第１部材１００は、両側に上下方向に配置される垂直ロッド１０２と、両側の垂直ロッド１０２の下部を連結する水平ロッド１０３と、を含む。
【００３１】
垂直ロッド１０２は、下部が後方に折曲され、上部が前方に折曲され、上端が内側に向かうように水平に折曲される。
【００３２】
前記ヘッドレストは、垂直ロッド１０２の上部に設けられた頭受部１０１を含む。
【００３３】
頭受部１０１には、垂直ロッド１０２の上部及び上端が嵌合する溝が形成されて第１部材１００が前記ヘッドレストに設けられる。
【００３４】
第２部材２００は、板材に備えられてボックス状に形成され、シートに連結されて固定される。
【００３５】
第２部材２００は、第１板部２１０と、第１板部２１０の後方に設けられる第２板部２２０とを含む。
【００３６】
第１板部２１０は、上面２１１と、上面２１１の下部に連続するように形成される前面２１２と、上面２１１と前面２１２の両側に配置される側壁２１３を含む。
【００３７】
上面２１１と前面２１２との間の角は面取りされている。
【００３８】
また、上面２１１と側壁２１３の上部及び上面２１１と前面２１２の上部の一部の間には切開部が形成されている。
【００３９】
側壁２１３には、第１部材１００の水平ロッド１０３が貫通する第１貫通溝２１４を形成する。第１貫通溝２１４は側面から見た場合、前方に向かうほど高さが次第に低くなるように傾斜した形状で形成されている。側壁２１３には、このような第１貫通溝２１４の上部に係止部が形成され、前記係止部は折り畳みが完了されると、水平ロッド１０３と接触し、それ以上水平ロッド１０３が回転しないようにする。このように前記係止部により前記ヘッドレストの折り畳み角度を制御することができる。
【００４０】
第１貫通溝２１４は、後方上部を開放するように形成される。
【００４１】
側壁２１３の外側には、水平ロッド１０３が貫通され、第２貫通溝を形成する補助板部２３０が設けられる。このような補助板部２３０は水平ロッド１０３に溶接などによりパイプと一体に設けられる。
【００４２】
補助板部２３０上部には、第１部材１００の回動軸３０１を締結する締結孔が形成されている。
【００４３】
前記第２貫通溝は、前記締結孔の下部に配置され、後方下部が開放するように形成される。
【００４４】
補助板部２３０が回動軸３０１により設けられるように、側壁２１３の上部前方には回動軸３０１を挿入する締結孔が形成される。
【００４５】
また、側壁２１３の前方中間部には、以下に説明するメインスプリング３００が連結されるように、メインスプリング３００の一端を嵌合する嵌合孔が形成されている。
【００４６】
第２板部２２０は、後面２２１と、後面２２１下部に連続するように形成される底面２２２とを含む。
【００４７】
後面２２１には、前後方向に形成される第１取付孔と、前記第１取付孔の左側上部に配置する第２取付孔が設けられる。
【００４８】
後面２２１上端は、後方に折曲する折曲部が形成されている。
【００４９】
後面２２１の高さは、前面２１２の高さより低く形成される。
【００５０】
後面２２１後方及び底面２２２下部には、ワイヤ取付孔２２３が形成されている。
【００５１】
底面２２２両側には、シートのフレームに設けられるように、締結ボルト２４０を貫通する貫通孔２２４が形成されている。
【００５２】
これとは異なり、図１２に示すように、側壁２１３両側にシートのフレームに設けられるように、ブラケット２２６を突出するように形成されてもよい。ブラケット２２６には、ボルトなどを締結する締結孔が形成されてもよい。
【００５３】
第１板部２１０と第２板部２２０の角には締結突起２１５と締結突起２１５を嵌合する締結溝２２５が形成され、第１板部２１０及び第２板部２２０は、溶接などにより互いに結合される。
【００５４】
メインスプリング３００は、第１部材１００と第２部材２００との間に連結されて第１部材１００及び第２部材２００に弾性力を付勢する。メインスプリング３００の弾性力により第１部材１００及び第２部材２００のうちの少なくとも１つは、回転可能であってもよい。
【００５５】
詳細には、メインスプリング３００は、コイルスプリングで備えられ、水平ロッド１０３の片側に配置される補助板部２３０に締結される回動軸３０１に嵌合して設けられる。回動軸３０１は左右方向に水平に配置され、回動する第１部材１００の回動軸となる。回動軸３０１は、ヘッドレストが直立状態にあるとき、水平ロッド１０３より前方上部に配置される。
【００５６】
よって、メインスプリング３００は、側壁２１３及び補助板部２３０の内側に配置される。
【００５７】
メインスプリング３００の一端は前記嵌合孔に嵌合して連結され、他端は水平ロッド１０３に連結される。
【００５８】
ロック部材４００は、第１部材１００を基準として前方の反対方向に第１部材１００に接触するように配置されて前記ヘッドレストを直立した位置に固定する。
【００５９】
前記ロック部材４００は、前記第１部材１００と接触する接触面に形成された傾斜面４１１を有し、前記ヘッドレストが直立位置にあるとき、傾斜面４１１の少なくともある一部分に接触する。傾斜面４１１と第１部材１００の接触は、点接触又は線接触又は面接触などすべて可能である。
【００６０】
ロック部材４００には、第２部材２００に設けられる支持台４１０が設けられ、第１部材１００に前記弾性力が付勢される方向の反対方向で第１部材１００に直接接触して第１部材１００を支持する。
【００６１】
ロック部材４００は、回動軸４０１を介して前記第２部材２００の後面２２１に回動可能に設けられる。
【００６２】
回動軸４０１は、ロック部材４００の後方に前後方向に水平に配置される。
【００６３】
第２部材２００の回動軸は、左右方向に水平に配置され、本実施形態ではロック部材４００と第２部材２００の回動軸との間の角度は直角である。
【００６４】
ロック部材４００は、厚い板状に形成され、右側上部に支持台４１０が突出するように形成される。
【００６５】
支持台４１０の左側面は、ロック部材４００の左側面に連続するように垂直に形成され、支持台４１０の右側面とロック部材４００の上面との間の角は面取りされている。
【００６６】
ロック部材４００の下部両側の角は面取りされている。
【００６７】
ロック部材４００の下部左側には、回動軸４０１が嵌合する締結孔４０７が形成される。
【００６８】
回動軸４０１は前方に頭部が形成され、頭部に第１段差部が形成され、前記第１段差部の後方に外径が小さくなるように第２段差部が形成され、前記第２段差部の後方に外径が小さくなるように第３段差部が形成される。前記頭部は、前記第１段差部の外周面に嵌合する、以下に説明する復帰スプリング４２０の前端を支持する役割をする。前記第２段差部は、締結孔４０７を貫通するように挿入される。前記第３段差部は、第２部材２００の前記第１取付孔に設けられる。
【００６９】
締結孔４０７と連通されるように、ロック部材４００の下部左側前方には、復帰スプリング４２０の後端が係止される係止溝４０６が形成される。
【００７０】
また、ロック部材４００の後方には、締結孔４０７のまわりに突出部が形成されて、突出部が締結孔４０７周囲を補強すると共に、ロック部材４００取付時にロック部材４００を第２部材２００から離隔させてロック部材４００の回転時に摩擦を最小化する。
【００７１】
ロック部材４００は、左側下部（以下に説明するストッパと対向する面）が傾斜するように形成され、ヘッドレスト直立時にはストッパ４４０に接触しない。以下に説明する駆動部材によりロック部材４００が最大許容角度まで回転されたときにストッパ４４０と接触し、それ以上回転されなくなる。
【００７２】
ロック部材４００の右側には、ワイヤ取付部４０３が突出するように形成される。
【００７３】
ワイヤ取付部４０３の上面は、傾斜するように形成される。ワイヤ取付部４０３は、右側に向かうほど上下厚が薄くなるように形成される。このように形成されたワイヤ取付部４０３の上面により、取付後にワイヤ４３０が自重により最下端にスライドし、ワイヤ４３０が離脱することを防止する。
【００７４】
ワイヤ取付部４０３には、上下方向に以下に説明するワイヤ４３０が貫通されるワイヤ貫通孔４０４が左右方向に延伸する。
【００７５】
ワイヤ取付部４０３前方には、ワイヤ貫通孔４０４に連通されるように切開部４０５が形成されている。このような切開部４０５によりワイヤ４３０を容易に設けられる。
【００７６】
支持台４１０には、第１部材１００と対向する面（前面）に傾斜面４１１が形成される。これにより、前記ヘッドレストが直立状態にあるとき、支持台４１０と第１部材１００が接触する部分（即ち支持台４１０より下部）に向かって支持台４１０は前方に突出される。すなわち、傾斜面４１１は、復帰スプリング４２０及びメインスプリング３００の弾性力が作用する方向に更に楔作用が発生するように傾斜面４１１が形成される。
【００７７】
更に、ロック解除時に支持台４１０が回転する方向の反対面である支持台４１０の左側面上部には第１湾曲面４１２が形成される。また、傾斜面４１１の上部に配置されるように支持台４１０の前面上部にも第２湾曲面４１３が形成される。
【００７８】
第１、２湾曲面４１２、４１３は、球の一部分のように上方に膨らんで湾曲するように形成される。よって、支持台４１０の上部は球の一部分のように形成され、上端に向かうほど幅が細くなるように形成される。
【００７９】
復帰スプリング４２０は、使用者がロック部材４００を駆動させない際にロック部材４００を原位置に復帰させる。
【００８０】
復帰スプリング４２０の一端は、ロック部材４００に連結され、他端は第２部材２００の第２板部２２０に連結される。
【００８１】
復帰スプリング４２０は、ロック部材４００の前方に配置されて、第２部材２００内部に配置される。
【００８２】
駆動部材は、ロック部材４００を駆動させてロックを解除させる。すなわち、ロック部材４００を移動（スライド）又は回転させる。
【００８３】
本実施形態では、前記駆動部材がロック部材４００に連結されるワイヤ４３０として備えられる。
【００８４】
ワイヤ４３０は、終端に球状の係止突起が形成される。ワイヤ４３０は切開部４０５を介して嵌合されてワイヤ貫通孔４０４に挿入される。
【００８５】
また、ワイヤ４３０の外周面は、ガイド管４３１に囲まれている。
【００８６】
ガイド管４３１は、ワイヤ４３０を保護すると共にワイヤ４３０のガイドの役割をする。
【００８７】
ガイド管４３１外周面には、円周方向に沿って嵌合溝が形成されている。
【００８８】
これにより、ガイド管４３１を第２部材２００のワイヤ取付孔２２３に嵌合する際に、第２部材２００が前記嵌合溝に嵌合されてガイド管４３１の位置が固定される。
【００８９】
また、第２部材２００の前記第２取付孔にストッパ４４０が設けられる。ストッパ４４０は前方に向かうように第２部材２００内部に配置される。
【００９０】
ストッパ４４０は、ロック部材４００の左側に配置される。すなわち、ストッパ４４０は、ワイヤ４３０のような前記駆動部材が配置された方向の反対側に配置される。このようなストッパ４４０によってロック部材４００が過度に回転されることを防止する。すなわち、ストッパ４４０は、ロック部材４００が所定角度だけ回転されるようにする。
【００９１】
以下に、上記構成を有する本実施形態の動作を説明する。
【００９２】
使用者がワイヤ４３０に連結されたレバーなどを介してワイヤ４３０を引っ張るとロック部材４００は時計回りに回転することになる。これにより、第１部材１００を支持している支持台４１０も回転することになりロックが解除される。
【００９３】
次に、ロックが解除される過程を詳細に説明する。
【００９４】
水平ロッド１０３は、支持台４１０の傾斜面４１１の下部から上部の球面まで接触しながらスライドする。次いで、水平ロッド１０３は、回転する支持台４１０により第１湾曲面４１２の上部に接触することになる。次いで、水平ロッド１０３と支持台４１０とは分離する。
【００９５】
これにより、第１部材１００に連結される前記ヘッドレストは、メインスプリング３００により回動軸３０１を中心に回転（反時計回り）して前方に折り畳まれる。
【００９６】
ロック部材４００は、ワイヤ４３０の引張力が除去されると、復帰スプリング４２０により反対方向（反時計回り）に回転してヘッドレストの折り畳み前のロック部材４００の位置に復帰する。
【００９７】
このように、前記ヘッドレストが折り畳まれた状態では、回動軸３０１の後方に水平ロッド１０３が配置され、水平ロッド１０３は支持台４１０の上部に配置される。よって、前記ヘッドレストが折り畳まれた状態では、水平ロッド１０３と支持台４１０の傾斜面４１１は接触しない。
【００９８】
使用者が前記ヘッドレストを直立させる場合は、メインスプリング３００の弾性力よりも大きな力で前記ヘッドレストを後方に押すことで、水平ロッド１０３が回動軸３０１を中心に反対方向（時計回り）に回転する。支持台４１０の傾斜面４１１が移動する円弧状の移動進路内に水平ロッド１０３が配置され、支持台４１０の傾斜面４１１に接触する。継続的に前記ヘッドレストを後方に押すと、水平ロッド１０３が回動軸３０１下部に位置しながら、水平ロッド１０３の前方は、第１貫通溝２１４の前端に位置することになって側壁２１３に係止され、水平ロッド１０３の後方は傾斜面４１１の一部分に接触してロックが完了する。すなわち、ロック時に、第１板部２１０の側壁２１３の後方に水平ロッド１０３が配置され、水平ロッド１０３後方にロック部材４００が配置される。
【００９９】
次に、ロック過程について詳細に説明する。
【０１００】
水平ロッド１０３は、支持台４１０の第２湾曲面４１３の上部に接触する。次いで、下降する水平ロッド１０３により支持台４１０も押されてロック部材４００は時計回りに回転することになる。そして、水平ロッド１０３は、第１湾曲面４１２に接触し、次いで、傾斜面４１１の下部まで接触しながらスライドする。よって、水平ロッド１０３は支持台４１０によって支持され、ヘッドレストがロックされる。
【０１０１】
一方、ロック部材４００に連結されている復帰スプリング４２０により傾斜面４１１でスライドし得る。
【０１０２】
このように、前記ヘッドレストがロック状態にあるとき、水平ロッド１０３が回動軸３０１の後方下部に配置され、傾斜面４１１が水平ロッド１０３の後方に配置される。
【０１０３】
また、前記ヘッドレストが直立状態にあるとき、第１部材１００が支持台４１０の傾斜面４１１の少なくとも一部分と接触することになり第１部材１００と支持台４１０が密着接触状態となる。これにより、第１部材１００と支持台４１０との間に隙間が発生するのを防止する。また、支持台４１０が復帰スプリング４２０の弾性力を受け、水平ロッド１０３がメインスプリング３００により後方上部に弾性力を受けて、傾斜面４１１で前方に突出した部分と第１部材１００との密着接触状態を安定的に維持することができる。
【０１０４】
（第２実施形態）
第２実施形態に係るヘッドレスト折り畳み装置は、図１３ないし図１９に示すように、第２部材２００’はヘッドレストに回動可能に連結され、第１部材１００’はシートに連結されて固定され、第１部材１００’は垂直ロッド１０２’と水平ロッド１０３’を含むステーロッドであることが特徴である。
【０１０５】
上述の第１実施形態と同一の構成については詳細な図示及び説明を省略する。
【０１０６】
第２実施形態に係る第２部材２００’及びロック部材４００’は、第１実施形態と構造及び形状が同一であるが、上下が逆に配置される。
【０１０７】
第１板部２１０’は、前面、側壁、及び底面を含む。
【０１０８】
第２板部２２０’は、上面と後面を含む。ワイヤ４３０’は、第２板部２２０’の上面を貫通するように設けられる。
【０１０９】
メインスプリング３００は、コイルスプリングで備えられ、水平ロッド１０３’一側に配置される補助板部２３０に締結される回動軸３０１に嵌合して設けられる。回動軸３０１は、ヘッドレストが直立状態にあるとき、水平ロッド１０３’よりも前方下部に配置される。
【０１１０】
第１部材１００’の両側に上下方向に配置される垂直ロッド１０２’は、シートに上下方向に高さ調節が可能に設けられる。
【０１１１】
垂直ロッド１０２’上部は、前方に向かうように折曲するように形成される。
【０１１２】
垂直ロッド１０２’は、上端が開放されるように形成されてもよい。
【０１１３】
水平ロッド１０３’は、両側の垂直ロッド１０２’の上部を連結するように設けられる。
【０１１４】
ワイヤ４３０’は、垂直ロッド１０２’に挿入され、ガイド及び保護されるようにすることができる。
【０１１５】
支持台４１０’には、前面下部に傾斜面４１１’が形成され、前面下端に第２湾曲面４１３’が形成され、右側面下端に第１湾曲面４１２’が形成される。
【０１１６】
以下に、上記構成を有する本実施形態の動作を説明する。
【０１１７】
使用者が、ワイヤ４３０’に連結されたレバーなどを介してワイヤ４３０’を引っ張ると、ロック部材４００’は、時計回りに回転することになる。これにより、第２部材２００’を支持している支持台４１０’も回転することになり、ロックが解除されて第２部材２００’に連結されるヘッドレストがメインスプリング３００によって前方に折り畳まれる。
【０１１８】
ロック部材４００’は、ワイヤ４３０’の引張力を除去すると、復帰スプリング４２０により反対方向（反時計回り）に回転されて折り畳み前のロック部材４００’の位置に復帰する。
【０１１９】
このように、前記ヘッドレストが折り畳まれた状態では、回動軸３０１の後方に水平ロッド１０３’が配置され、水平ロッド１０３’が支持台４１０’の下部に配置される。よって、前記ヘッドレストが折り畳まれた状態では、水平ロッド１０３’と支持台４１０’の傾斜面４１１’とは接触しない。
【０１２０】
使用者が、前記ヘッドレストを直立させる場合には、メインスプリング３００の弾性力よりも大きな力で前記ヘッドレストを後方に押すと、第２部材２００’が回動軸３０１を中心に反対方向（時計回り）に回転する。支持台４１０’の傾斜面４１１’が移動する円弧状の移動進路内に水平ロッド１０３’が配置されて、支持台４１０’の傾斜面４１１’に水平ロッド１０３’が接触する。そうすると、第２部材２００’とロック部材４００’が一緒に回転することになる。継続的に前記ヘッドレストを後方に押すと、水平ロッド１０３’が回動軸３０１上部に位置しながら傾斜面４１１’に接触してロックが完了する。
【０１２１】
一方、ロック部材４００’に連結された復帰スプリング４２０により傾斜面４１１’でスライドし得る。
【０１２２】
このように、前記ヘッドレストがロック状態にあるとき、水平ロッド１０３’は回動軸３０１の後方上部に配置され、傾斜面４１１’は水平ロッド１０３’の後方に配置される。
【０１２３】
前記ヘッドレストが直立状態にあるとき、第１部材１００’は支持台４１０’の傾斜面４１１’の少なくとも一部分と接触することになり、第１部材１００’と支持台４１０’は密着接触状態となる。これにより、第１部材１００’と支持台４１０’との間に隙間が発生するのを防止する。また、支持台４１０’は復帰スプリング４２０の弾性力を受け、水平ロッド１０３’はメインスプリング３００により前方上部に弾性力を受けて、傾斜面４１１’で前方に突出した部分と第１部材１００’との密着接触状態を安定的に維持することができる。
【０１２４】
（第３実施形態）
第３実施形態に係るヘッドレスト折り畳み装置は、図２０ないし図２５に示すように、前記駆動部材は、第２部材２００’’に設けられてロック部材４００’’を押して回転させるボタン部４３０’’であることを特徴とする。
【０１２５】
第１部材１００’、第２部材２００’’及びロック部材４００’’は、第２実施形態の第１部材１００’、第２部材２００’及びロック部材４００’と同一又は類似するので、同一又は類似部分に関する説明は省略する。
【０１２６】
ロック部材４００’’は、左側上部から上下方向に突出する押圧板４５０が設けられる。これにより、ボタン部４３０’’の押圧力が円滑に伝達される。
【０１２７】
第２部材２００’’の第１板部２１０’’の側壁には、ボタン部４３０’’が貫通するボタン部貫通孔が形成されている。
【０１２８】
ボタン部４３０’’は、ボタン貫通孔に挿入されて第２部材２００’’に設けられてスライド可能に設置される。ボタン部４３０’’は、左右方向に水平に配置される。これにより、使用者がボタン部４３０’’を操作することが容易となる。
【０１２９】
ボタン部４３０’’はロック部材４００’’の左側に配置される。
【０１３０】
ボタン部４３０’’は、ヘッドレストの側部に設けられる円筒状のマウント部４３１’と、マウント部４３１’内部にスライド可能に設けられるボタン４３７と、マウント部４３１とボタン４３７との間に配置されてボタン４３７を復帰させるボタン復帰スプリング４３９と、ボタン４３７の押圧力を伝達して押圧板４５０を押す伝達ロッド４３４とを含む。
【０１３１】
マウント部４３１’は、一側が開放され、他側が閉鎖されるように形成される。
【０１３２】
マウント部４３１’は、外周面に締結爪４３２が切開されて形成される。このような締結爪４３２によりマウント部４３１’がヘッドレストに一度の嵌合によって設けられる。
【０１３３】
マウント部４３１’で他側には、ボタンロッド貫通孔及びスプリング支持台貫通孔が形成される。マウント部４３１’で他側には、前記スプリング支持台貫通孔を取り囲む第１スプリング支持台が形成される。前記第１スプリング支持台はコイルスプリングで形成されるボタン復帰スプリング４３９の他側に嵌合する。
【０１３４】
ボタン４３７は、一側が閉鎖され、他側が開放された円筒状に形成される。
【０１３５】
ボタン４３７は、中央にボタン復帰スプリング４３９の一側に嵌合する第２スプリング支持台４３８が十字状に他側に向かうように突出されて形成される。
【０１３６】
第２スプリング支持台４３８は、前記スプリング支持台貫通孔を貫通して伝達ロッド４３４に押圧力を伝達する。
【０１３７】
ボタン４３７は、他端から突出する少なくとも１つのボタンロッド４３３が形成される。
【０１３８】
ボタンロッド４３３は、多数形成されてもよく、多数のボタンロッド４３３の少なくとも１つには自由端に爪突起が形成される。
【０１３９】
このようなボタンロッド４３３は、前記ボタンロッド貫通孔を貫通する。
【０１４０】
ボタンロッド４３３によりボタン４３７は、マウント部４３１’にスライド可能に設けられると共に、ボタン４３７のスライド動作をガイドする。
【０１４１】
ボタン４３７の外周面には、他側に向かうほど厚みが大きくなる突起が形成されてスライド可能に形成される。
【０１４２】
伝達ロッド４３４は、棒状に形成され、片側は他側よりも外径が大きく形成され、片側と他側との間の中間部分は片側よりも外径が大きく形成される。
【０１４３】
伝達ロッド４３４の中間部分４３５は、径方向に対向する部分が平らに形成され、対向する平坦な部分の間を通り、中央に長手方向に沿って開口部が形成される。
【０１４４】
伝達ロッド４３４の中間部分４３５は、第２部材２００’’の前記ボタン部貫通孔に挿入される。
【０１４５】
伝達ロッド４３４の中間部分４３５の両端には、係止突起４３６が形成されて第２部材２００’’に係止される。これにより、伝達ロッド４３４は第２部材２００’’から離脱しない。
【０１４６】
伝達ロッド４３４の他端の径方向に対向する部分には、伝達ロッド４３４の終端に向かうほど高さが低くなる突出部が形成される。
【０１４７】
伝達ロッド４３４の他端は、半球状に形成される。
【０１４８】
伝達ロッド４３４の他端は、ヘッドレストが直立状態にあるとき、押圧板４５０の中間部分に配置される。
【０１４９】
以下に、上記構成を有する本実施形態の動作を説明する。
【０１５０】
使用者が、ヘッドレストに配置されたボタン４３７を押すと、伝達ロッド４３４が押圧され、ロック部材４００’’の押圧板４５０が押圧される。よって、ロック部材４００’’は時計回りに回転することになる。これにより、第２部材２００’’を支持していた支持台４１０’も回転することになって第２部材２００’’に連結されたヘッドレストはメインスプリング３００により前方に折り畳まれる。
【０１５１】
ロック部材４００’’は、ボタン４３７の押圧力を除去すると、復帰スプリング４２０により反対方向に回転して復帰する。
【０１５２】
使用者がヘッドレストを直立させる場合には、メインスプリング３００の弾性力よりも大きな力でヘッドレストを後方に押すことで、ロック部材４００’’も第２部材２００’’と共に後方に回転する。このような過程で、ロック部材４００’’の支持台４１０’’の傾斜面４１１’’の下端は水平ロッド１０３’に接触される。その後、前記ヘッドレストが直立位置に至るまでに傾斜面４１１’’は、水平ロッド１０３’に接触されてスライドする。前記ヘッドレストの直立が完了すると、支持台４１０’’で傾斜面４１１’’の少なくとも一部分と第１部材１００’の水平ロッド１０３’とが接触することになり、第１部材１００’と支持台４１０’’は密着接触状態となる。これにより、第１部材１００’と支持台４１０’’との間に隙間が発生するのを防止する。また、支持台４１０’’は、復帰スプリング４２０の弾性力を受け、支持台４１０’’で前方に突出した部分と第１部材１００’との接触状態を安定的に維持する。
【０１５３】
（第４実施形態）
第４実施形態に係るヘッドレスト折り畳み装置は、図２６ないし図３２に示すように、ロック部材５００と第２部材２００’’’の回動軸が互いに平行に配置され、前記第２部材２００’’’が前記シートに連結され、前記第１部材１００が前記ヘッドレストに連結され、前記ロック部材５００の回動軸が前記第１部材１００を基準として前記第２位置側（前方）に配置される。
【０１５４】
第１部材１００、第２部材２００’’’及びメインスプリング３００は、第１実施形態の第１部材１００、第２部材２００及びメインスプリング３００と同一又は類似するので、同一部分及び類似部分に関する説明は上述の実施形態を参照するものとし、その説明を省略する。
【０１５５】
第２部材２００’’’は、第１板部２５０と、第１板部２５０の後方に設けられる第２板部２６０とを含む。
【０１５６】
第１板部２５０は、上面２５２と、上面２５２の下部に連続するように形成される前面２５３と、上面２５２と前面２５３の両側に配置される側壁２５１と、前面２５３と側壁２５１の底に形成される底面２５４とを含む。
【０１５７】
前面２５３には、上下方向に切開部２５５が形成されている。
【０１５８】
各側壁２５１には、第１部材１００の水平ロッド１０３が貫通する第１貫通溝２５７が形成される。第１貫通溝２５７は、側面から見て、上部が前方に向かうほど高さが次第に低くなるように傾斜した形状に形成されていて、下部は水平方向に平坦に形成される。
【０１５９】
底面２５４には、ワイヤ取付孔２５６が形成されている。ワイヤ取付孔２５６は切開部２５５に連通するように形成される。
【０１６０】
底面２５４には、締結ボルト２４０が貫通する貫通孔が形成されている。これにより、第２部材２００’’’は、シートに設けられる。
【０１６１】
第２板部２６０は、後面２６２と、後面２６２の両側に配置される側壁２６１と、を含む。
【０１６２】
両方の側壁２６１には、締結片２６３が外側に突出されるように形成され、第２板部２６０は、第１板部２５０の前面２５３の背面に設けられる。
【０１６３】
側壁２６１上部には、水平ロッド１０３が配置される溝が形成されている。側壁２６１上部には、傾斜面が形成され、前記傾斜面は、前記溝の後方に配置される。
【０１６４】
ロック部材５００は、前後方向に垂直に配置される板状に形成される。
【０１６５】
ロック部材５００の回動軸５０１は、第１部材１００又は第２部材２００’’’の回動軸に平行するように左右方向に水平に配置される。
【０１６６】
回動軸５０１は、第２板部２６０の側壁２６１に設けられ、ロック部材５００は、第２部材２００’’’に回動可能に設けられる。
【０１６７】
ロック部材５００前方には、回動軸５０１が嵌合する締結孔５０７が左右方向にロック部材５００を貫通して形成される。
【０１６８】
ロック部材５００の締結孔５０７の前方に配置されるように突出部５０８が形成される。このような突出部５０８は切開部２５５に係止されストッパの役割をする。
【０１６９】
ロック部材５００には、後方に湾曲面５１１が形成される。
【０１７０】
湾曲面５１１と締結孔５０７との間には前記ヘッドレストが直立状態にあるとき、水平ロッド１０３が配置されるロッドクレードル５１２が形成される。ロッドクレードル５１２は、下方に凹む円弧形状に形成される。
【０１７１】
これにより、ロック部材５００の回動軸は、前記ヘッドレストが直立状態にあるとき、第１部材１００の水平ロッド１０３を基準として前方に配置される。
【０１７２】
ロック部材５００下部には、ワイヤ取付部５０３が形成される。ワイヤ取付部５０３は、湾曲面５１１の下部に配置される。
【０１７３】
回動軸５０１に復帰スプリング５２０が嵌合され、復帰スプリング５２０の一端がロック部材５００に連結され、他端が第２板部２６０の底面２５４に連結される。
【０１７４】
以下に、上記構成を有する本実施形態の動作を説明する。
【０１７５】
使用者が、ワイヤ５３０に連結されたレバーなどを介してワイヤ５３０を引っ張ると、ロック部材５００は時計回りに回転することになる。これにより、第１部材１００を支持していた支持台５１０も回動軸５０１を中心に回転し、下部に移動することになる。このように、水平ロッド１０３を支持していた支持台５１０が除去されてヘッドレストのロックが解除される。よって、第１部材１００に連結されるヘッドレストは、メインスプリング３００の弾性力により前方に折り畳まれる。
【０１７６】
ロック部材５００は、ワイヤ５３０の引張力が除去されると復帰スプリング５２０により反対方向に回転して原位置に復帰する。
【０１７７】
使用者が前記ヘッドレストを直立させる場合には、メインスプリング３００の弾性力よりも大きな力で前記ヘッドレストを後方に押すことで、前記ヘッドレスト及び水平ロッド１０３は、回動軸３０１を中心に回転されて水平ロッド１０３が後方下部に移動する。使用者が前記ヘッドレストを持続的に後方に押すことで、水平ロッド１０３は、湾曲面５１１に接触し、湾曲面５１１に沿ってスライドする。
【０１７８】
前記ヘッドレストの直立が完了すると、支持台５１０で湾曲面５１１の少なくとも一部分と第１部材１００の水平ロッド１０３とが接触することになり第１部材１００と支持台５１０は、密着接触状態となる。これにより、第１部材１００と支持台５１０との間に隙間が発生するのを防止する。また、支持台５１０は、復帰スプリング５２０の弾性力を受けて、支持台５１０で前方に突出した部分と第１部材１００との接触状態を安定的に維持する。
【０１７９】
（第５実施形態）
第５実施形態に係るヘッドレスト折り畳み装置は、図３３ないし図３７に示すように、ロック部材６００は第２部材２７０に上下にスライド可能に設けられる。
【０１８０】
第１部材１００、第２部材２７０及びメインスプリング３００は、第１実施形態の第１部材１００、第２部材２００及びメインスプリング３００と同一又は類似するので、同一部分及び類似部分に関する説明は上述の実施形態を参照するものとし、その説明を省略する。
【０１８１】
第２部材２７０は、前面２７２と、前面２７２の両側にそれぞれ形成される側壁２７１とを含む。
【０１８２】
側壁２７１には、第１部材１００の水平ロッド１０３が貫通する第１貫通溝２７８が形成される。第１貫通溝２７８は、側面から見て、上部は前方に向かうほど高さが次第に低くなるように傾斜した形状に形成されていて、下部は水平方向に平坦に形成される。
【０１８３】
側壁２７１には、外側に締結片２７６が突出されて形成される。このような締結片２７６を介して第２部材２７０が前記シートに設けられる。
【０１８４】
前面２７２の中間部分には、平行に後方に折曲されて両側にガイド側壁２７３が形成され、平行ガイド側壁２７３の後方を連結するガイド後面２７４が形成される。
【０１８５】
このように、前面２７２には、ガイド側壁２７３とガイド後面２７４が形成されて、ロック部材６００を上下方向にガイドするガイド溝が形成される。
【０１８６】
ガイド側壁２７３後方にも第１貫通溝２７７が形成される。第１貫通溝２７７は、側面から見て、上下部が前方に向かうほど高さが低くなるように傾斜された形状に形成される。
【０１８７】
復帰スプリング６２０と対向するガイド側壁２７３には、開口が形成されていて、前記開口下部に配置されるように復帰スプリング６２０の下端を支持する支持板２７５が形成される。
【０１８８】
支持板２７５は、ガイド側壁２７３の一部が切開されてガイド側壁２７３の内側に折曲して形成される。
【０１８９】
復帰スプリング６２０と対向するガイド側壁２７３下部には、両方のガイド側壁２７３間に配置されるようにワイヤ取付片が形成される。前記ワイヤ取付片には、ワイヤ６３０が取付けられるワイヤ取付孔が形成されている。
【０１９０】
ロック部材６００は、垂直に配置されるバー状に形成される。
【０１９１】
ロック部材６００は、水平ロッド１０３の下部に配置される。
【０１９２】
ロック部材６００上部後方には、支持台６１０が形成され、支持台６１０の前方には、湾曲面６１１が形成される。
【０１９３】
垂直に配されたコイル状の復帰スプリング６２０が配置される支持板２７５を受容する孔６２１が、ロック部材６００の両側に垂直に形成される。
【０１９４】
ロック部材６００の側部後方には、孔６２１に連通するように水平に引込み溝６２２が形成される。組立時に引込み溝６２２に支持板２７５が引込まれて支持板２７５が、支持板を受容するための孔６２１内部に配置されてもよい。
【０１９５】
ロック部材６００の下部には、ワイヤ６３０が取付けられるワイヤ取付部が形成される。
【０１９６】
ロック部材６００は、第２部材２７０の両方ガイド側壁２７３とガイド後面２７４に取り囲まれるように配置されて、上下方向移動時にガイドされる。
【０１９７】
以下に、上記構成を有する本実施形態の動作を説明する。
【０１９８】
使用者がワイヤ６３０に連結されたレバーなどを介してワイヤ６３０を引っ張ると、ロック部材６００は、第１部材１００及び第２部材２７０に対して下方に移動することになる。これにより、水平ロッド１０３を支持していた支持台６１０が除去されてヘッドレストのロックが解除される。よって、第１部材１００に連結されたヘッドレストは、メインスプリング３００の弾性力により前方に折り畳まれる。
【０１９９】
一方、ロック部材６００が下降するとき、支持板２７５と復帰スプリング６２０の上端を支持するロック部材６００の部分との間隔が狭くなり、復帰スプリング６２０は収縮することになる。ロック部材６００は、ワイヤ６３０の引張力が除去されると復帰スプリング６２０により上方に上昇することになる。
【０２００】
使用者が前記ヘッドレストを直立させる場合には、メインスプリング３００の弾性力よりも大きな力で前記ヘッドレストを後方に押すことで、前記ヘッドレスト及び水平ロッド１０３は、回動軸３０１を中心に回転されて水平ロッド１０３は後方下部に移動する。前記ヘッドレストを持続的に後方に押し続けると、水平ロッド１０３は、湾曲面６１１に接触し、湾曲面６１１に沿って下部にスライドする。
【０２０１】
前記ヘッドレストの直立が完了すると、支持台６１０の湾曲面６１１の少なくとも一部分と第１部材１００の水平ロッド１０３が接触し、第１部材１００と支持台６１０は、密着接触状態となる。これにより、第１部材１００と支持台６１０との間に隙間が発生するのを防止する。また、支持台６１０は、復帰スプリング６２０の弾性力を受けて、支持台６１０で前方に突出した部分と第１部材１００との接触状態を安定的に維持する。
【０２０２】
（第６実施形態）
第６実施形態に係るヘッドレスト折り畳み装置は、図３８ないし図４０に示すように、第２部材には前記ロック部材６００をガイドするガイド溝２６７’が上下方向に形成されたブラケット２６０’が設けられ、前記ブラケット２６０’に前記支持板２６４が形成される。
【０２０３】
第１部材１００、メインスプリング３００及びロック部材６００は、第５実施形態の第１部材１００、メインスプリング３００及びロック部材６００と同一又は類似し、第２部材は、第４実施形態の第２部材２００’’’と同一又は類似するので、同一部分及び類似部分に関する説明は、上述の実施形態を参照するものとし、その説明を省略する。
【０２０４】
前記第２部材は、第１板部２５０’と、第１板部２５０’の後方に設けられるブラケット２６０’とを含む。
【０２０５】
第１板部２５０’は、上面２５２と、上面２５２の下部に連続するように形成される前面２５３と、上面２５２と前面２５３の両側に配置される側壁２５１と、側壁２５１と前面２５３の下部に配置される底面２５４とを含む。
【０２０６】
側壁２５１には、締結片２５９が外側に突出するように形成されて、前記第２部材がシートに連結される。
【０２０７】
底面２５４には、ワイヤ６３０が取付けられるワイヤ取付孔が形成される。
【０２０８】
ブラケット２６０’は、両方のガイド側壁２６１’とガイド側壁２６１’の後方を連結するガイド後面２６２’を含む。
【０２０９】
ガイド側壁２６１’とガイド後面２６２’により、ブラケット２６０’にはロック部材６００をガイドするガイド溝２６７’が上下方向に形成される。
【０２１０】
ガイド側壁２６１’の上部は、後方に向かうほど高さが高くなるように湾曲して形成される。
【０２１１】
ガイド側壁２６１’の前方には、締結片２６３’が外側に突出するように形成される。締結片２６３’を使用してブラケット２６０’は前面２５３の背面に設けられる。
【０２１２】
ガイド側壁２６１’には、支持板２６４’が内側に突出するように形成される。
【０２１３】
以下に、上記構成を有する本実施形態の組立方法を説明する。
【０２１４】
ロック部材６００をガイド側壁２６１’とガイド後面２６２’内側に配置されるようにガイド溝２６７’に挿入する。挿入時に支持板２６４’が引込み溝６２２を通過して支持板２６４’を受容するための孔６２１内部に配置されるようにする。ブラケット２６０’を、締結片２６３’を介して第１板部２５０’に設けて組立を完了する。
【０２１５】
上記構成を有する本実施形態のヘッドレスト動作方法は、上述の第５実施形態と同一であるので、これに関する説明は省略する。
【０２１６】
（第７実施形態）
第７実施形態に係るヘッドレスト折り畳み装置は、図４１ないし図４５に示すように、ロック部材６００’が上下方向にスライド可能に設けられる第２部材が前記ヘッドレストに連結され、第１部材１００’はシートに連結される。
【０２１７】
本実施形態の前記第２部材、ロック部材６００’及びメインスプリング３００は、第６実施形態の前記第２部材、ロック部材６００及びメインスプリング３００と構造及び形状は同一であるが、上下が逆に配置される。
【０２１８】
また、本実施形態の第１部材１００’は、第２実施形態の第１部材１００’と同一である。
【０２１９】
このように、同一部分及び類似部分に関する説明は、上述の実施形態を参照するものとし、その説明を省略する。
【０２２０】
前記第２部材は、第１板部２５０’’と、第１板部２５０’’の前面の背面に設けられるブラケット２６０’’とを含む。
【０２２１】
ワイヤは、第１板部２５０’’の上面に設けられる。
【０２２２】
ロック部材６００’及びブラケット２６０’’は、水平ロッド１０３’の上部に配置され、支持台６１０がロック部材６００’の後方下部に突出するように形成される。
【０２２３】
支持台６１０は、前面に傾斜面が形成されて上部に向かうほど前面が前方に突出するように形成される。
【０２２４】
以下に、上記構成を有する本実施形態の動作を説明する。
【０２２５】
使用者がワイヤ６３０に連結されたレバーなどを介してワイヤ６３０を引っ張ると、ロック部材６００’は、前記第２部材及び水平ロッド１０３’に対して上方に上昇することになる。これにより、水平ロッド１０３’に係止されていた支持台６１０が除去されてロックが解除される。よって、前記第１部材１００に連結されるヘッドレストは、メインスプリング３００の弾性力により前方に折り畳まれる。
【０２２６】
一方、ロック部材６００’が上昇するとき、支持板２７５と復帰スプリング６２０の上端を支持するロック部材６００’の部分との間隔が狭くなり、復帰スプリング６２０は収縮することになる。ロック部材６００’は、ワイヤ６３０の引張力が除去されると復帰スプリング６２０により下方に下降することになる。
【０２２７】
使用者が前記ヘッドレストを直立させる場合には、使用者がメインスプリング３００の弾性力よりも大きな力で前記ヘッドレストを後方に押すことで、前記ヘッドレスト及び前記第２部材は、回転してロック部材６００’は後方下部に移動する。前記ヘッドレストを持続的に後方に押すと、傾斜面６１１は、水平ロッド１０３’に接触し、傾斜面６１１に沿って下部にスライドする。
【０２２８】
前記ヘッドレストの直立が完了すると、支持台６１０で傾斜面６１１の少なくとも一部分と第１部材１００’の水平ロッド１０３’とが接触し、第１部材１００’と支持台６１０’は密着接触状態となる。これにより、第１部材１００’と支持台６１０との間に隙間が発生するのを防止する。また、支持台６１０は、復帰スプリング６２０の弾性力を受けて、支持台６１０で前方に突出した部分と第１部材１００’との接触状態を安定的に維持する。
【０２２９】
上述では、本発明の好ましい実施形態を参照して詳細に説明したが、本発明の権利範囲はこれに限定されず、当該技術分野の熟練した当業者は添付の特許請求の範囲に記載された本発明の思想及び領域から逸脱しない範囲で、本発明を多様に修正及び変更させることができる。
【符号の説明】
【０２３０】
１００  第１部材
２００  第２部材
３００  メインスプリング
４００  ロック部材
４１０  支持台
４１１  第１傾斜面
４１２  第１湾曲面
４２０  復帰スプリング
４３０  ワイヤ
【図１】
2016517715.tif 000003
【図２】
2016517715.tif 000004
【図３】
2016517715.tif 000005
【図４】
2016517715.tif 000006
【図５】
2016517715.tif 000007
【図６】
2016517715.tif 000008
【図７】
2016517715.tif 000009
【図８】
2016517715.tif 000010
【図９】
2016517715.tif 000011
【図１０】
2016517715.tif 000012
【図１１】
2016517715.tif 000013
【図１２】
2016517715.tif 000014
【図１３】
2016517715.tif 000015
【図１４】
2016517715.tif 000016
【図１５】
2016517715.tif 000017
【図１６】
2016517715.tif 000018
【図１７】
2016517715.tif 000019
【図１８】
2016517715.tif 000020
【図１９】
2016517715.tif 000021
【図２０】
2016517715.tif 000022
【図２１】
2016517715.tif 000023
【図２２】
2016517715.tif 000024
【図２３】
2016517715.tif 000025
【図２４】
2016517715.tif 000026
【図２５】
2016517715.tif 000027
【図２６】
2016517715.tif 000028
【図２７】
2016517715.tif 000029
【図２８】
2016517715.tif 000030
【図２９】
2016517715.tif 000031
【図３０】
2016517715.tif 000032
【図３１】
2016517715.tif 000033
【図３２】
2016517715.tif 000034
【図３３】
2016517715.tif 000035
【図３４】
2016517715.tif 000036
【図３５】
2016517715.tif 000037
【図３６】
2016517715.tif 000038
【図３７】
2016517715.tif 000039
【図３８】
2016517715.tif 000040
【図３９】
2016517715.tif 000041
【図４０】
2016517715.tif 000042
【図４１】
2016517715.tif 000043
【図４２】
2016517715.tif 000044
【図４３】
2016517715.tif 000045
【図４４】
2016517715.tif 000046
【図４５】
2016517715.tif 000047
【国際調査報告】
2016517715.tif 000048
2016517715.tif 000049